(57)【特許請求の範囲】
【請求項１】
ハウジング基部にガイド部を突設したハウジングと、
第１の導通部を有し、前記ガイド部の一側面の一端部において前記第１の導通部が露出するよう前記ハウジングに組み込んだ第１の端子と、
第２の導通部を有し、前記ガイド部の一側面の他端部において前記第２の導通部が露出するよう前記ハウジングに組み込んだ第２の端子と、
コモン導通部を有し、前記ガイド部の他側面に前記コモン導通部が露出するよう前記ハウジングに組み込んだコモン端子と、
前記ガイド部の突接端部に跨って往復移動する接触片と、
前記接触片に係合するスライダと、
前記ハウジングに前記スライダを前記ガイド部に沿って往復移動可能に保持するカバーと、を備え、
前記ハウジング、前記スライダおよび前記カバーは、非導電性樹脂材料によって形成され、
前記スライダは、前記接触片と前記ガイド部とを収容するボックス状の収容部と、収容部から突出するレバー部と、を有してなることを特徴とするスライドスイッチ。
【請求項２】
前記接触片は、
前記ガイド部の突出端部に沿って延びる縦通部と、
前記縦通部の両端部から中間部に向けて延出して、前記ガイド部の一端側に移動させたときに前記第１の端子の前記第１の導通部に接触し、前記ガイド部の他端側に移動させたときに前記第２の端子の前記第２の導通部に接触する板ばね状の一対の切換接片と、
前記縦通部の両端部から中間部に向けて延出して、前記コモン端子の前記コモン導通部に常時接触する板ばね状の一対のコモン接片と、を有してなることを特徴とする請求項１に記載のスライドスイッチ。
【請求項３】
前記第１の導通部および前記第２の導通部と前記コモン導通部とは、ガイド部突出方向に対する位置がオーバーラップしないように構成され、
前記接触片は、前記切換接片または前記コモン接片のいずれか一方と協同して前記ガイド部を幅方向に挟持する押圧部を有してなることを特徴とする請求項１または請求項２に記載のスライドスイッチ。
【請求項４】
前記第１の導通部および前記第２の導通部と前記コモン導通部とは、ガイド部長手方向に対する位置がオーバーラップするよう構成されたことを特徴とする請求項１ないし請求項３のいずれか１項に記載のスライドスイッチ。
【発明の詳細な説明】
【技術分野】
【０００１】
本発明は、スライドスイッチに関する。
【背景技術】
【０００２】
従来、手動操作により回路を切り替えるスイッチとして、スライドスイッチが知られている（例えば、特許文献１参照）。図１２、図１３に示すように、特許文献１に記載されたスライドスイッチ１０１は、基板１０２ａに一対の突堤１０２ｂを突設したウエハ１０２と、突堤１０２ｂの一側面の一端部において導通部が露出するようウエハ１０２に一体成形した固定接片１０３と、突堤１０２ｂの一側面の他端部において導通部が露出するようウエハ１０２に一体成形した固定接片１０４と、突堤１０２ｂの一側面の中間部において導通部が露出するようウエハ１０２に一体成形した固定接片１０５と、突堤１０２ｂの突出端部に跨って往復移動する可動接片１０６と、可動接片１０６を収容する操作体１０７と、ウエハ１０２に操作体１０７を突堤１０２ｂに沿って往復移動するよう保持するカバー１０８と、を備えている。
【０００３】
可動接片１０６は、一端側に突堤１０２ｂの長手方向および幅方向に対して交差する方向に延びる接点１０６ａを有し、他端側に突堤１０２ｂの長手方向および幅方向に対して交差する方向に延びる接点１０６ｂを有している。
【０００４】
固定接片１０３〜１０５は、突堤１０２ｂの一端側に可動接片１０６を移動させたときに、固定接片１０４に接点１０６ｂが接触するとともに、固定接片１０５に接点１０６ａが接触するように構成され、突堤１０２ｂの他端側に可動接片１０６を移動させたときに、固定接片１０５に接点１０６ｂが接触するとともに、固定接片１０３に接点１０６ａが接触するように構成されている。
【０００５】
すなわち、スライドスイッチ１０１は、操作体１０７を操作して突堤１０２ｂの一端側に可動接片１０６を移動させると、固定接片１０４，１０５が導通するとともに、固定接片１０３，１０５が導通しない状態になり、操作体１０７を操作して突堤１０２ｂの他端側に可動接片１０６を移動させると、固定接片１０３，１０５が導通するとともに、固定接片１０４，１０５が導通しない状態になる。
【０００６】
また、このようなスライドスイッチ１０１に静電気が印加された場合について、特許文献１によれば、操作者に静電気が帯電していたとしても、操作体１０７から金属板製のカバー１０８を介してプリント基板の接地ランドへ静電気を逃がすことができるため、静電気が可動接片１０６や固定接片１０４に流れ込むことを防止することができる、としている。
【先行技術文献】
【特許文献】
【０００７】
【特許文献１】特開平９−２３７５４６号公報
【発明の概要】
【発明が解決しようとする課題】
【０００８】
上述したスライドスイッチ１０１において、印加された静電気がカバー１０８に到達した場合、カバー１０８の下端部と可動接片１０６の下端部との間の距離が近い、すなわち、静電気の印加点である操作体１０７の先端部から可動接片１０６までの沿面距離が必ずしも十分ではないので、静電気が可動接片１０６へと伝播する可能性があり、これによって、スライドスイッチ１０１が実装されている機器等の故障を来たす虞がある。また、操作体１０７が可動接片１０６を収容している部分において、可動接片１０６が完全には包囲されていないので、この部分についても沿面距離が十分とは言えない。
【０００９】
加えて、上述したスライドスイッチ１０１は、固定接片１０３，固定接片１０５の各導通部に対する可動接片１０６の接点１０６ａの接圧、および、固定接片１０４の導通部に対する接点１０６ｂの接圧を適切にするために、接点１０６ａ，１０６ｂのばねスパンを長く設定すると、可動接片１０６が高さ方向に大きくなるので、スライドスイッチ１０１を低背化できないなど、接点の部分の構造においてスライドスイッチ１０１を小型化する上での課題を残している。
【００１０】
本発明は、上述の課題を解決するためになされたものであり、静電耐圧を向上させたスライドスイッチを提供すること、ならびに、そのスライドスイッチの小型化を図ることを目的としている。
【課題を解決するための手段】
【００１１】
本発明に係るスライドスイッチは、上記目的を達成するため、ハウジング基部にガイド部を突設したハウジングと、第１の導通部を有し、前記ガイド部の一側面の一端部において前記第１の導通部が露出するよう前記ハウジングに組み込んだ第１の端子と、第２の導通部を有し、前記ガイド部の一側面の他端部において前記第２の導通部が露出するよう前記ハウジングに組み込んだ第２の端子と、コモン導通部を有し、前記ガイド部の他側面の略全長にわたって前記コモン導通部が露出するよう前記ハウジングに組み込んだコモン端子と、前記ガイド部の突接端部に跨って往復移動する接触片と、前記接触片に係合するスライダと、前記ハウジングに前記スライダを前記ガイド部に沿って往復移動可能に保持するカバーと、を備え、前記ハウジング、前記スライダおよび前記カバーは、非導電性樹脂材料によって形成され、前記スライダは、前記接触片と前記ガイド部とを収容するボックス状の収容部と、収容部から突出するレバー部と、を有してなることを特徴とする。
【００１２】
この構成により、本発明に係るスライドスイッチは、従来、金属板で形成されていたカバーを非導電性樹脂材料によって形成するとともに、非導電性樹脂材料によって形成されたスライダのボックス状の収容部に接触片を収容したことで、スライドスイッチを操作する際に静電気の印加点となるレバー部の先端部から第１の端子、第２の端子およびコモン端子までの沿面距離を長くすることができるので、静電耐圧が向上する。
【００１３】
また、本発明に係るスライドスイッチにおいて、前記接触片は、前記ガイド部の突出端部に沿って延びる縦通部と、前記縦通部の両端部から中間部に向けて延出して、前記ガイド部の一端側に移動させたときに前記第１の端子の前記第１の導通部に接触し、前記ガイド部の他端側に移動させたときに前記第２の端子の前記第２の導通部に接触する板ばね状の一対の切換接片と、前記縦通部の両端部から中間部に向けて延出して、前記コモン端子の前記コモン導通部に常時接触する板ばね状の一対のコモン接片と、を有することが好ましい。
【００１４】
この構成により、本発明に係るスライドスイッチは、縦通部の両端部から中間部に向けて延出する板ばね状の一対の切換接片が、ガイド部の一側面の一端部において露出する第１の端子の第１の導通部、またはガイド部の一側面の他端部において露出する第２の端子の第２の導通部に択一的に接触し、縦通部の両端部から中間部に向けて延出する板ばね状の一対のコモン接片が、ガイド部の他側面に露出するコモン端子のコモン導通部に常時接触する。よって、本発明に係るスライドスイッチは、切換接片およびコモン接片のばねスパンを長くして適切な接圧を得た場合であっても、接触片が高さ方向に大きくならず、収容部を高さ方向に大きくする必要がないので、低背となる。
【００１５】
また、本発明に係るスライドスイッチにおいて、前記第１の導通部および前記第２の導通部と前記コモン導通部とは、ガイド部突出方向に対する位置がオーバーラップしないように構成され、前記接触片は、前記切換接片または前記コモン接片のいずれか一方と協同して前記ガイド部を幅方向に挟持する押圧部を有してなる構成とすることが好ましい。
【００１６】
この構成により、本発明に係るスライドスイッチは、第１の導通部および第２の導通部に対するコモン導通部の位置が、ガイド部突出方向にオーバーラップしないため、ガイド部の幅寸法を縮小させることができるので、スライドスイッチのさらなる小型化が可能となる。
【００１７】
これに加えて、押圧部が切換接片またはコモン接片のいずれか一方と協同してガイド部を幅方向に挟持するので、接触片がガイド部の幅方向に傾かず、第１の端子の第１の導通部および第２の端子の第２の導通部に切換接片を安定した状態で接触させることかできるとともに、コモン端子のコモン導通部にコモン接片を安定した状態で接触させることができる。
【００１８】
また、本発明に係るスライドスイッチにおいて、前記第１の導通部および前記第２の導通部と前記コモン導通部は、ガイド部長手方向に対する位置がオーバーラップするよう構成されることが好ましい。
【００１９】
この構成により、本発明に係るスライドスイッチは、第１の導通部および第２の導通部に対するコモン導通部の位置が、ガイド部長手方向へオーバーラップするため、ガイド部の長手方向の寸法を縮小させることができるので、スライドスイッチのさらなる小型化が可能となる。
【発明の効果】
【００２０】
本発明によれば、小型でありながら、静電気の印加点となるレバー部の先端部から第１の端子、第２の端子およびコモン端子までの沿面距離を長くすることで、静電耐圧を向上させたスライドスイッチを提供することができる。また、そのようなスライドスイッチの小型化を図ることができる。
【図面の簡単な説明】
【００２１】
【図１】本発明の実施の形態に係るスライドスイッチを構成するハウジング、接触片、スライダ、カバーの単体を一側上方から臨んだ斜視図である。
【図２】本発明の実施の形態に係るスライドスイッチの横断面図である。
【図３】本発明の実施の形態に係るスライドスイッチを構成するハウジングに第１の端子、第２の端子およびコモン端子を組み付けたものを他側下方から臨んだ斜視図である。
【図４】本発明の実施の形態に係るスライドスイッチを構成するハウジングに第１の端子、第２の端子およびコモン端子を組み付けた状態の側面図であり、（ａ）は一側から臨んだ図、（ｂ）は他側から臨んだ図である。
【図５】本発明の実施の形態に係るスライドスイッチを構成する第１の端子、第２の端子およびコモン端子の斜視図であり、（ａ）は一側上方から臨んだ図、（ｂ）は他側下方から臨んだ図である。
【図６】本発明の実施の形態に係るスライドスイッチを構成する接触片を他側下方から臨んだ斜視図である。
【図７】本発明の実施の形態に係るスライドスイッチを構成する接触片の側面図であり、（ａ）は一側から臨んだ図、（ｂ）は他側から臨んだ図である。
【図８】本発明の実施の形態に係るスライドスイッチを構成するスライダを一側下方から臨んだ斜視図ある。
【図９】本発明の実施の形態に係るスライドスイッチを構成するハウジングにスライダ等を組み付けたものを一側上方から臨んだ斜視図である。
【図１０】本発明の実施の形態に係るスライドスイッチを構成するカバーの一側下方から臨んだ斜視図である。
【図１１】本発明の実施の形態に係るスライドスイッチを構成するハウジングにスライダ、カバー等を組み付けたものを一側上方から臨んだ斜視図である。
【図１２】従来のスライドスイッチを構成するウエハ、可動接片、操作体、カバーの単体を一側上方から臨んだ斜視図である。
【図１３】従来のスライドスイッチの横断面図である。
【発明を実施するための形態】
【００２２】
以下、本発明の実施の形態に係るスライドスイッチについて、図面を参照して説明する。
【００２３】
図１〜図５に示すように、本実施の形態に係るスライドスイッチ１は、ハウジング基部１１に、ハウジング基部１１に沿って延びるガイド部１２を突設したハウジング１０と、第１の導通部２１を有し、ガイド部１２の一側面の一端部において第１の導通部２１が露出するようハウジング１０に組み込んだ第１の端子２０と、第２の導通部３１を有し、ガイド部１２の一側面の他端部において第２の導通部３１が露出するようハウジング１０に組み込んだ第２の端子３０と、コモン導通部４１を有し、ガイド部１２の他側面の略全長にわたってコモン導通部４１が露出するようハウジング１０に組み込んだコモン端子４０と、ガイド部１２の突接端部に跨って往復移動する接触片５０と、接触片５０に係合するスライダ６０と、ハウジング１０にスライダ６０をガイド部１２に沿って往復移動可能に保持するカバー７０と、を備えている。
【００２４】
ハウジング１０は、図３、図４（ａ）、図４（ｂ）に示すように、平面形状が細長い略矩形に形成されたハウジング基部１１と、ハウジング基部１１の中央部から上方に突出して部材長手方向に延びるガイド部１２と、ハウジング基部１１の部材長手方向両端部から上側に突出するフック部１３と、ハウジング基部１１の部材幅方向両縁部から左右に突出する突起部１４を有している。ハウジング１０を構成するハウジング基部１１、ガイド部１２、フック部１３および突起部１４は、非導電性樹脂材料を射出成形することによって一体に成形されている。
【００２５】
第１の端子２０は、図４（ａ）、図４（ｂ）、図５（ａ）、図５（ｂ）に示すように、第１の導通部２１と電気的に一体な第１の接続部２２を有し、第１の導通部２１がガイド部１２の一側面に対して段差がない面一となり、第１の接続部２２がハウジング基部１１を部材厚み方向に貫通して外部に突出するようにハウジング１０にインサート成形されている。
【００２６】
第２の端子３０は、図４（ａ）、図４（ｂ）、図５（ａ）、図５（ｂ）に示すように、第２の導通部３１と電気的に一体な第２の接続部３２を有し、第２の導通部３１がガイド部１２の一側面に対して段差がない面一となり、第２の接続部３２がハウジング基部１１を部材厚み方向に貫通して外部に突出するようにハウジング１０にインサート成形されている。
【００２７】
コモン端子４０は、図４（ａ）、図４（ｂ）、図５（ａ）、図５（ｂ）に示すように、コモン導通部４１と電気的に一体なコモン接続部４２を有し、コモン導通部４１がガイド部１２の他側面に対して段差がない面一となり、コモン接続部４２がハウジング基部１１を部材厚み方向に貫通して外部に突出するようにハウジング１０にインサート成形されている。
【００２８】
第１の接続部２２、第２の接続部３２およびコモン接続部４２は、例えば、半田付けによって図示しない基板の導電層等に電気的に接続されるようになっている。
【００２９】
第１の導通部２１および第２の導通部３１とコモン導通部４１とは、図２、図４（ａ）、図４（ｂ）に示すように、ガイド部突出方向に対する位置がオーバーラップしないように構成されている。より具体的に述べると、第１の端子２０および第２の端子３０とコモン端子４０とは、第１の導通部２１および第２の導通部３１とコモン導通部４１との上下方向の位置がオーバーラップしないようにハウジング１０に組み込まれている。
【００３０】
また、第１の導通部２１および第２の導通部３１とコモン導通部４１とは、図２、図４（ａ）、図４（ｂ）に示すように、ガイド部長手方向に対する位置がオーバーラップするように構成されている。より具体的に述べると、第１の端子２０および第２の端子３０とコモン端子４０とは、第１の導通部２１および第２の導通部３１とコモン導通部４１とのガイド部長手方向の位置がオーバーラップするようにハウジング１０に組み込まれている。
【００３１】
接触片５０は、図２、図６、図７（ａ）、図７（ｂ）に示すように、ガイド部１２の突出端部に沿って延びる縦通部５１と、縦通部５１の一側縁部の両端部から中間部に向けて延出して、ガイド部１２の一端側に移動させたときに第１の端子２０の第１の導通部２１に接触し、ガイド部１２の他端側に移動させたときに第２の端子３０の第２の導通部３１に接触する板ばね状の一対の切換接片５２と、縦通部５１の他側縁部の両端部から中間部に向けて延出して、コモン端子４０のコモン導通部４１に常時接触する板ばね状の一対のコモン接片５３と、により構成されている。
【００３２】
また、接触片５０は、図２に示すように、切換接片５２と協同してガイド部１２を幅方向に挟持する押圧部５４を有している。縦通部５１の他側縁部の両端部に連なり、コモン接片５３を下側から囲むとともに、ガイド部１２の他側面を押圧するようになっている。接触片５０を構成する縦通部５１、切換接片５２、コモン接片５３および押圧部５４は、金属板により一体で成形されている。
【００３３】
スライダ６０は、図８、図９に示すように、ガイド部１２に跨った状態の接触片５０に上側から覆い被って接触片５０とガイド部１２とを収容するボックス状の収容部６１と、収容部６１から上側に突出するレバー部６２と、を有している。スライダ６０を構成する収容部６１およびレバー部６２は、非導電性樹脂材料を射出成形することにより一体に成形されている。収容部６１の内部の寸法は、ガイド部１２長手方向への接触片５０の移動を許容し、収容部６１に対して接触片５０が前後方向、左右方向および上下方向にずれないように設定されている。
【００３４】
収容部６１は、接触片５０とガイド部１２とを全周にわたって包囲している。したがって、レバー部６２部分に高い電圧の静電気が印加された場合、その静電気は、収容部６１の外側の面を伝播し、収容部６１の下端を経由した上で接触片５０に到達する。すなわち、収容部６１の下端を経由する分だけ、レバー部６２から接触片５０へと至る沿面距離が長い。
【００３５】
スライダ６０は、接触片５０の切換接片５２が第１の端子２０の第１の導通部２１に接触したときに、収容部６１の一端面がハウジング基部１１の部材長手方向一端部のフック部１３に当接し、接触片５０の切換接片５２が第２の端子３０の第２の導通部３１に接触したときに、収容部６１の他端面がハウジング基部１１の部材長手方向他端部のフック部１３に当接して、移動が規制されるようになっている。
【００３６】
カバー７０は、図１０、図１１に示すように、接触片５０を収容しているスライダ６０の収容部６１およびハウジング１０のハウジング基部１１に上側から覆い被って収容部６１およびハウジング基部１１を内包するボックス状に形成されている。カバー７０は、非導電性樹脂材料を射出成形することによって成形されている。
【００３７】
カバー７０は、中央上部にスライダ６０のレバー部６２が挿通される開口部７１を有し、長手方向両端上部にハウジング１０のフック部１３が係合する係合孔７２を有し、長手方向両端下縁部にハウジング基部１１の部材長手方向端部が嵌まり込む第１の凹部７３を有し、幅方向両縁部にハウジング基部１１から突出する突起部１４が嵌まり込む第２の凹部７４を有している。
【００３８】
カバー７０の内部の寸法と開口部７１の形状とは、ガイド部１２長手方向へのスライダ６０の移動を許容し、カバー７０に対してスライダ６０が左右方向および上下方向にずれないように設定されている。
【００３９】
本実施の形態に係るスライドスイッチ１は、スライダ６０を操作することにより、ハウジング基部１１の部材長手方向一端部側に接触片５０を移動させると、第１の端子２０の第１の導通部２１に切換接片５２が接触し、コモン端子４０と第１の端子２０とが接触片５０を介して導通する状態になる。
【００４０】
また、本実施の形態に係るスライドスイッチ１は、スライダ６０を操作することにより、ハウジング基部１１の部材長手方向他端部側に接触片５０を移動させると、第２の端子３０の第２の導通部３１に切換接片５２が接触し、コモン端子４０と第２の端子３０とが接触片５０を介して導通する状態になる。
【００４１】
本実施の形態に係るスライドスイッチ１は、ハウジング１０、スライダ６０およびカバー７０を樹脂材料によって形成し、スライダ６０のボックス状の収容部６１に接触片５０を収容したことによって、人間がスライドスイッチ１を操作する際に静電気の印加点となるレバー部６２の先端部から第１の端子２０、第２の端子３０およびコモン端子４０までの沿面距離を長くすることができるので、従来のものと比べて静電耐圧が向上する。
【００４２】
本実施の形態に係るスライドスイッチ１は、縦通部５１の両端部から中間部に向けて延出する板ばね状の一対の切換接片５２が、ガイド部１２の一側面の一端部において露出する第１の端子２０の第１の導通部２１、またはガイド部１２の一側面の他端部において露出する第２の端子３０の第２の導通部３１に択一的に接触し、縦通部５１の両端部から中間部に向けて延出する板ばね状の一対のコモン接片５３が、ガイド部１２の他側面の略全長にわたって露出するコモン端子４０のコモン導通部４１に常時接触する。これによって、本実施の形態に係るスライドスイッチ１は、切換接片５２およびコモン接片５３のばねスパンを長くして適切な接圧を得た場合であっても、接触片５０が高さ方向に大きくならないので、低背化できる。
【００４３】
本実施の形態に係るスライドスイッチ１は、第１の導通部２１および第２の導通部３１に対するコモン導通部４１の位置が、ガイド部突出方向（高さ方向）にオーバーラップしないため、ガイド部１２の幅寸法を縮小させることができるので、スライドスイッチの小型化が可能となる。
【００４４】
本実施の形態に係るスライドスイッチ１は、第１の導通部２１および第２の導通部３１に対するコモン導通部４１の位置が、ガイド部長手方向へオーバーラップするため、ガイド部１２の長手方向の寸法を縮小させることができるので、スライドスイッチの小型化が可能となる。
【００４５】
本実施の形態に係るスライドスイッチ１は、押圧部５４が切換接片５２と協同してガイド部１２を幅方向に挟持するので、接触片５０がガイド部１２の幅方向に傾かず、第１の端子２０の第１の導通部２１および第２の端子３０の第２の導通部３１に切換接片５２を安定した状態で接触させることかできるとともに、コモン端子４０のコモン導通部４１にコモン接片５３を安定した状態で接触させることができる。
【００４６】
また、他の実施の形態として、第１の導通部および第２の導通部とコモン導通部との上下位置を逆転させるとともに、切換接片とコモン接片の上下位置を逆転させ、押圧部がコモン接片と協同してガイド部を幅方向に挟持する構成にすることもできる。
【産業上の利用可能性】
【００４７】
本発明は、各種のスライドスイッチにおいて実施することが可能であり、静電耐圧を向上させること、ならびに、小型化ができるので有用である。
【符号の説明】
【００４８】
１  スライドスイッチ
１０  ハウジング
１１  ハウジング基部
１２  ガイド部
２０  第１の端子
２１  第１の導通部
３０  第２の端子
３１  第２の導通部
４０  コモン端子
４１  コモン導通部
５０  接触片
５１  縦通部
５２  切換接片
５３  コモン接片
５４  押圧部
６０  スライダ
６１  収容部
６２  レバー部
７０  カバー
【図１】
0006037181.tif 000002
【図２】
0006037181.tif 000003
【図３】
0006037181.tif 000004
【図４】
0006037181.tif 000005
【図５】
0006037181.tif 000006
【図６】
0006037181.tif 000007
【図７】
0006037181.tif 000008
【図８】
0006037181.tif 000009
【図９】
0006037181.tif 000010
【図１０】
0006037181.tif 000011
【図１１】
0006037181.tif 000012
【図１２】
0006037181.tif 000013
【図１３】
0006037181.tif 000014